(57)【特許請求の範囲】
【請求項１】
記録紙に画像を形成する画像形成装置、および、前記画像形成装置から排紙された記録紙に対して穿孔処理を行う後処理装置を備えた画像形成システムであって、
前記画像形成装置および前記後処理装置の各々は穿孔モードを設定する操作部を備え、
さらに前記後処理装置は、前記各操作部で設定された穿孔モードで穿孔処理を行う穿孔手段と、用紙が載置される用紙給紙トレイと、前記用紙給紙トレイから用紙を給紙する給紙手段と、前記各操作部で設定されたモードに基づいて前記穿孔手段を制御する制御手段を備え、
前記制御手段は、前記後処理装置に設けられた操作部のスタートキー操作に応じて、該操作部で設定された穿孔モードに基づき、前記画像形成装置による画像形成動作とは独立して、前記給紙手段により前記用紙給紙トレイから前記穿孔手段に給紙された用紙に対して穿孔処理を施す制御を行うことを特徴とする画像形成システム。
【請求項２】
記録紙に画像を形成する画像形成装置、および、前記画像形成装置から排紙された記録紙に対して後処理を行う後処理装置を備えた画像形成システムであって、
前記画像形成装置および前記後処理装置の各々は処理条件が設定される操作部を備え、
さらに前記後処理装置は、複数の用紙給紙トレイと、前記複数の用紙給紙トレイのそれぞれに対応して設けられた複数の給紙手段と、前記画像形成装置から送り込まれた記録紙を搬送する記録紙搬送手段と、該記録紙搬送手段から排紙された記録紙を受ける排紙トレイと、前記各操作部で設定された条件に基づいて前記画像形成装置から送られた記録紙または前記各給紙手段により給紙された用紙を処理するように制御する制御手段を有し、
前記制御手段は、前記後処理装置に設けられた前記操作部のスタートキー操作に応じて、該操作部で設定された条件に従って、前記画像形成装置による画像形成動作とは独立して、前記用紙給紙トレイから前記給紙手段により前記記録紙搬送手段に供給する制御を行うことにより、前記複数の用紙給紙トレイからの異種用紙を前記操作部において設定された条件に従った組み合わせで前記排紙トレイに排紙する制御を行うことを特徴とする画像形成システム。
【請求項３】
前記制御手段は、前記複数の用紙給紙トレイに載置されたサイズの異なる用紙を前記給紙手段で給紙し、前記排紙皿にサイズの異なる用紙が前記後処理装置に設けられた操作部において設定された条件に従った組み合わせで混載するように前記制御を行うことを特徴とする請求項２に記載の画像形成システム。
【請求項４】
前記複数の用紙給紙トレイはそれぞれ用紙サイズセンサを有し、前記制御手段は前記用紙サイズセンサの検知信号に基づいて前記制御を行うことを特徴とする請求項３に記載の画像形成システム。
【請求項５】
前記制御手段は、前記用紙給紙トレイの一つから給紙された用紙の間に他の前記用紙給紙トレイから給紙された用氏を挿入して１単位の用紙の束を形成するように前記制御を行うことを特徴とする請求項２〜４のいずれか１項に記載の画像形成システム。
【請求項６】
前記制御手段は、前記用紙給紙トレイの一つから給紙された複数枚の用紙に他の前記用紙給紙トレイから給紙された用紙の表紙を付加して１単位の用紙の束を形成するように前記制御を行うことを特徴とする請求項２〜５のいずれか１項に記載の画像形成システム。
【請求項７】
前記制御手段は、前記用紙給紙トレイの一つから給紙された複数枚の用紙に他の前記用紙給紙トレイから給紙された用紙の裏表紙を付加して１単位の用紙の束を形成するように前記制御を行うことを特徴とする請求項２〜６のいずれか１項に記載の画像形成システム。
【発明の詳細な説明】
【０００１】
【発明の属する技術分野】
本発明は複写機、プリンタ、ファクシミリ等の画像形成装置に付属する後処理装置及び画像形成システムに関し、特に、画像が形成された記録紙に対して穿孔処理、綴じ処理等の後処理を行う後処理装置の改良に関する。
【０００２】
【従来の技術】
記録紙に画像を形成する画像形成装置は、多機能化や高速化が進むに従って、画像形成装置により画像が形成された記録紙の用途も広汎になり、画像が形成された記録紙に対して様々な処理を施すことが要求されるようになってきている。
【０００３】
最近の画像形成システムの多くは、記録紙に画像を形成する画像形成装置に加えて、画像が形成された記録紙に対して、ファイル用の孔をあける穿孔処理、複数枚の記録紙を綴じる綴じ処理、画像が形成された記録紙を三つ折り又は二つ折りに折り畳む折り畳み処理、画像が形成された記録紙の間に仕切紙や表紙、裏表紙を付加するインターシート処理等の後処理を行う後処理装置を装備している。
【０００４】
後処理装置はその処理能力を利用して、画像形成装置において画像を形成した記録紙のみでなく、画像が形成されていない用紙、或いは予め画像が形成されている用紙に対して前記の種々の処理を行う紙処理装置として使用される場合がある。
【０００５】
例えば、画像形成装置の給紙部に予め画像が形成された用紙を装填し、画像形成装置において、画像形成を行うことなく用紙を搬送し後処理装置を作動させることにより、用紙に綴じ処理等の所望の処理を施すことが行われる。
【０００６】
また、インターシートのための用紙を用紙給紙トレイから給紙して綴じ処理を施すことが行われる。
【０００７】
【発明が解決しようとする課題】
後処理装置が有する機能の内で最も多用されるのは穿孔機能である。
【０００８】
従来の後処理装置は、後処理装置独自に穿孔処理を行う機能を持っていなかったために、画像形成装置とは独立した紙処理装置としての後処理装置の価値が極めて低かった。
【０００９】
また、後処理装置内で用紙を給紙して処理する機能として、インターシート用の用紙給紙部を備えているが、従来の用紙給紙部には、一つの用紙給紙トレイが設けられているのみであるために、後処理装置内のみで給紙を行いインターシート等の処理をすることができなかった。例えば、サイズの異なる用紙を束ねて１部の用紙の束を作成する作業や印刷済みの用紙に仕切紙を挿入したり、表紙、裏表紙を付加して綴じ処理する作業を行うことができず、従来の後処理装置は、画像形成装置から独立した紙処理装置として極めて不十分なものであった。
【００１０】
本発明の目的は、画像形成装置とは独立した紙処理装置としての後処理装置の使用価値を格段に高め、使用価値の高い後処理装置を装備した画像形成システムを提供することを目的とする。
【００１１】
【課題を解決するための手段】
前記の本発明の目的は下記の発明により達成される。
【００１２】
１．記録紙に画像を形成する画像形成装置、および、前記画像形成装置から排紙された記録紙に対して穿孔処理を行う後処理装置を備えた画像形成システムであって、
前記画像形成装置および前記後処理装置の各々は穿孔モードを設定する操作部を備え、
さらに前記後処理装置は、前記各操作部で設定された穿孔モードで穿孔処理を行う穿孔手段と、用紙が載置される用紙給紙トレイと、前記用紙給紙トレイから用紙を給紙する給紙手段と、前記各操作部で設定されたモードに基づいて前記穿孔手段を制御する制御手段を備え、
前記制御手段は、前記後処理装置に設けられた操作部のスタートキー操作に応じて、該操作部で設定された穿孔モードに基づき、前記画像形成装置による画像形成動作とは独立して、前記給紙手段により前記用紙給紙トレイから前記穿孔手段に給紙された用紙に対して穿孔処理を施す制御を行うことを特徴とする画像形成システム。
【００１３】
２．記録紙に画像を形成する画像形成装置、および、前記画像形成装置から排紙された記録紙に対して後処理を行う後処理装置を備えた画像形成システムであって、
前記画像形成装置および前記後処理装置の各々は処理条件が設定される操作部を備え、
さらに前記後処理装置は、複数の用紙給紙トレイと、前記複数の用紙給紙トレイのそれぞれに対応して設けられた複数の給紙手段と、前記画像形成装置から送り込まれた記録紙を搬送する記録紙搬送手段と、該記録紙搬送手段から排紙された記録紙を受ける排紙トレイと、前記各操作部で設定された条件に基づいて前記画像形成装置から送られた記録紙または前記各給紙手段により給紙された用紙を処理するように制御する制御手段を有し、
前記制御手段は、前記後処理装置に設けられた前記操作部のスタートキー操作に応じて、該操作部で設定された条件に従って、前記画像形成装置による画像形成動作とは独立して、前記用紙給紙トレイから前記給紙手段により前記記録紙搬送手段に供給する制御を行うことにより、前記複数の用紙給紙トレイからの異種用紙を前記操作部において設定された条件に従った組み合わせで前記排紙トレイに排紙する制御を行うことを特徴とする画像形成システム。
【００１４】
３．前記制御手段は、前記複数の用紙給紙トレイに載置されたサイズの異なる用紙を前記給紙手段で給紙し、前記排紙皿にサイズの異なる用紙が前記後処理装置に設けられた操作部において設定された条件に従った組み合わせで混載するように前記制御を行うことを特徴とする前記２に記載の画像形成システム。
【００１５】
４．前記複数の用紙給紙トレイはそれぞれ用紙サイズセンサを有し、前記制御手段は前記用紙サイズセンサの検知信号に基づいて前記制御を行うことを特徴とする前記３に記載の画像形成システム。
【００１６】
５．前記制御手段は、前記用紙給紙トレイの一つから給紙された用紙の間に他の前記用紙給紙トレイから給紙された用氏を挿入して１単位の用紙の束を形成するように前記制御を行うことを特徴とする請求項２〜４のいずれか１項に記載の画像形成システム。
【００１７】
６．前記制御手段は、前記用紙給紙トレイの一つから給紙された複数枚の用紙に他の前記用紙給紙トレイから給紙された用紙の表紙を付加して１単位の用紙の束を形成するように前記制御を行うことを特徴とする請求項２〜５のいずれか１項に記載の画像形成システム。
【００１８】
７．前記制御手段は、前記用紙給紙トレイの一つから給紙された複数枚の用紙に他の前記用紙給紙トレイから給紙された用紙の裏表紙を付加して１単位の用紙の束を形成するように前記制御を行うことを特徴とする請求項２〜６のいずれか１項に記載の画像形成システム。
【００２０】
【発明の実施の形態】
本発明の実施の形態に係る画像形成システムをその全体構成を示す図１により説明する。
【００２１】
図示の画像形成装置Ａは、画像読み取り部１、画像処理部２、画像書き込み部３、画像形成部４、カセット給紙部５、大容量給紙部（ＬＣＴ）６、定着装置７、排紙部８、自動両面コピー給紙部（ＡＤＵ）９を備えている。
【００２２】
画像形成装置Ａの上部には、自動原稿送り装置ＤＦが搭載されている。画像形成装置Ａの図示の左側面の排紙部８側には、後処理装置ＦＳが連結されている。
【００２３】
自動原稿送り装置ＤＦの原稿台上に載置された原稿ｄは矢印方向に搬送され画像読み取り部１の光学系により原稿の片面又は両面の画像が読みとられ、ＣＣＤイメージセンサ１Ａに読み込まれる。
【００２４】
ＣＣＤイメージセンサ１Ａにより光電変換されたアナログ信号は、画像処理部２において、アナログ処理、Ａ／Ｄ変換、シェーディング補正、画像圧縮処理等を行った後、画像書き込み部３に信号を送る。
【００２５】
画像書き込み部３においては、半導体レーザからの出力光が画像形成部４の感光体ドラムに照射され、潜像を形成する。画像形成部４においては、帯電、露光、現像、転写、分離、クリーニング等の処理が行われ、カセット給紙部５又は大容量給紙部６から搬送された記録紙Ｓに画像が転写される。画像を担持した記録紙Ｓは、定着装置７により定着され、排紙部８からシート後処理装置ＦＳに送り込まれる。或いは搬送路切り替え板８Ａにより自動両面コピー給紙部９に送り込まれた片面画像処理済みの記録紙Ｓは再び画像形成部４において、両面画像処理後、排紙部８から後処理装置ＦＳに送り込まれる。
【００２６】
後処理装置ＦＳには、穿孔手段１０、シフト手段１１、中間スタッカ１２、中間スタッカ１２に用紙を堆積させるストッパ１３、ステープラ１４及び折り畳み手段１５が設けられる。穿孔手段１０はファイル用の孔を記録紙Ｓ及び用紙Ｐにあけるもので、後に説明する設定手段が設けられた操作部５１における設定条件に従って、記録紙Ｓ又は用紙Ｐの縦辺部又は横辺部に孔をあける。また、穿孔手段１０は後に説明するように、記録紙Ｓ又は用紙Ｐのサイズに応じて穿孔位置を変えて穿孔処理を行い、各サイズに対して適正な位置に穿孔処理を行う。
【００２７】
シフト手段１１は、記録紙Ｓ又は用紙Ｐを搬送幅方向に、部毎に排紙位置を変えて排紙する処理ユニットであり、何枚毎にシフトするかは操作部５１から設定される。１４は中間スタッカ１２に積載された記録紙Ｓ又は用紙Ｐの束を針で綴じるステープラである。綴じ枚数、綴じ位置（縦辺部か横辺部か）及び綴じ数等の処理条件は操作部５１から設定される。
【００２８】
なお、穿孔手段１０、シフト手段１１及びステープラ１４の処理条件は、画像形成装置Ａの操作部（図示せず）からも設定される。
【００２９】
後処理装置ＦＳには、次に説明する各種のトレイが設けられる。
用紙給紙トレイ２０、２１は画像形成装置Ａから排紙された記録紙Ｓに付加する用紙としての用紙Ｐ又は後処理装置ＦＳ内のみで処理する用紙Ｐが載置される用紙給紙トレイであり、本実施の形態は２個の用紙給紙トレイを持つが、３以上の複数の用紙給紙トレイを設けることもできる。
【００３０】
排紙トレイ２２は画像形成装置Ａから排紙された記録紙Ｓ又は用紙給紙トレイ２０、２１から給紙され、処理後に排紙された用紙Ｐを受ける排紙トレイである。排紙トレイ２３はシフト手段１１又はステープラ１４により処理されて排紙された記録紙Ｓ又は用紙Ｐを受ける排紙トレイ、排紙トレイ２４は折り畳み手段１５により折り畳み処理された記録紙Ｓ及び用紙Ｐを受ける排紙トレイである。
【００３１】
画像形成装置Ａから排紙された記録紙Ｓの後処理装置ＦＳ内における搬送及び処理は次のようにして行われる。
【００３２】
画像形成装置Ａから排紙された記録紙Ｓを排紙順に排紙する場合には、搬送ローラ３０、３１、３７及び３８により搬送し、排紙トレイ２２に記録紙Ｓを排紙する。穿孔処理を行う場合には、搬送ローラ３０と３１との間で穿孔手段１０により穿孔処理を行う。
【００３３】
部毎にシフト処理を行う場合には、画像形成装置Ａから排紙された記録紙を搬送ローラ３０、３１によりシフト手段１１に搬送し、シフト処理した後に排紙ローラ３３により排紙トレイ２３に排紙する。なお、部毎に用紙Ｐを差し込むか又は記録紙Ｓ間に用紙Ｐを差し込む処理を行う場合には、設定された条件に従って、用紙給紙トレイ２０又は２１から用紙Ｐを給紙して、用紙Ｐの挿入を行う。
【００３４】
綴じ処理においては、画像形成装置Ａから排紙された記録紙Ｓを搬送ローラ３０、３１、３４、３５及び３６により搬送し、中間スタッカ１２上に設定枚数の記録紙Ｓを堆積させた後に、ステープラ１４により綴じ処理を行う。綴じ処理後、記録紙Ｓの束を中間スタッカ１２により押し上げ、排紙ローラ３３に挟持させ、排紙ローラ３３により排紙トレイ２３上に排紙する。
【００３５】
折り畳み処理においては、中間スタッカ１２に堆積された記録紙Ｓを折り畳み手段１５において折り畳み、排紙トレイ２４に排紙する。
【００３６】
綴じ処理及び折り畳み処理においても、用紙給紙トレイ２０又は２１から用紙Ｐを給紙して、記録紙Ｓに付加し、仕切、表紙、裏表紙等の付加した記録紙Ｓの束を形成する。排紙トレイ２２、２３又は２４に排紙する搬送部の選択は搬送ガイド３９により行われる。
【００３７】
本実施の形態においては、用紙給紙トレイ２０、２１から用紙Ｐを給紙し、穿孔処理、シフト処理、綴じ処理、折り畳み処理及びインターシート処理が行われる。
【００３８】
用紙給紙トレイ２０に載置された用紙Ｐは給紙手段としての送り出しローラ４０、分離ローラ４１及び搬送ローラ４２により搬送され、記録紙搬送手段としての搬送ローラ３０及び３１により形成される搬送路に搬送される。用紙給紙トレイ２１に載置された用紙Ｐは給紙手段としての送り出しローラ４３、分離ローラ４４及び搬送ローラ４５により搬送され、前記搬送路に搬送される。
【００３９】
搬送ローラ３０及び３１により形成される前記搬送路を搬送された用紙Ｐは、記録紙Ｓに対する前記の処理と同様にして、穿孔処理、シフト処理、綴じ処理、折り畳み処理及びインターシート処理が行われる。
【００４０】
本実施の形態においては、後処理装置ＦＳが設定手段としての操作部５１を有し、図２に示すように制御手段５０は操作部５１において設定された条件に従って、穿孔手段１０、シフト手段１１、綴じ手段１４、給紙手段４６（送り出しローラ４０、４３、分離ローラ４１、４４及び搬送ローラ４５からなる）及び搬送部４７（搬送ローラ３０、３１、３４、３５、３６や搬送ガイド３９を含む）を制御して設定に従った制御を行う。
【００４１】
操作部５１を示す図３から明らかなように、操作部５１にはテンキー５２、スタートキー５３、表示部５４及び各種の機能キー５５〜６１が設けられる。
【００４２】
５５の「トレイ１」は用紙給紙トレイ２０を選択するトレイ選択キー、５６の「トレイ２」は用紙給紙トレイ２１を選択するキーである。５７は穿孔モードを設定する穿孔キー、５８はシフトモードを設定するシフトキー、５９は綴じ処理モードを設定するステープルキー、６０は折り畳みモードを設定する折り畳みキー、６１はインターシートモードを設定するインターシートキーである。
【００４３】
後処理装置ＦＳ内において、用紙給紙トレイ２０、２１から給紙された用紙Ｐに対して行われる処理について説明する。
【００４４】
トレイ選択キー５５を押し、穿孔キー５７を押すと、表示部５４に図４に示す画面が表示される。丸の縦列の表示ＰＡを押すと用紙Ｐの右辺部に縦列の穿孔処理を行うモードが、縦の黒丸ＰＢを押すと、用紙Ｐの右辺部に縦の穿孔処理を行う穿孔モードが、横の黒丸ＰＣを押すと、用紙Ｐの上辺部に横の穿孔処理を行う穿孔モードがそれぞれ選択される。
【００４５】
スタートキー５３を押すことにより、用紙給紙トレイ２０から用紙Ｐを給紙し、設定された穿孔処理が行われて、排紙トレイ２２に排紙する処理が行われる。
【００４６】
用紙給紙トレイ２０、２１には用紙サイズセンサＰＳ１、ＰＳ２が設けられ、載置された用紙のサイズを検知する。制御手段５０は用紙サイズセンサＰＳ１、ＰＳ２からのサイズ検知信号に基づいて穿孔手段１０の穿孔位置を制御し、各サイズに適合した位置に穿孔処理をする制御を行う。
【００４７】
シフトキー５８、ステープルキー５９又は折り畳みキー６０を押すと、表示部５４に「部枚数を設定してください。」というメッセージが表示される。テンキー５２を操作して枚数を設定することにより部の枚数が設定され、スタートキー５３を押すことにより、設定に従ったシフト処理、綴じ処理又は折り畳み処理が行われる。なお、ステープルキー５９を押した場合には、表示部５４に図５に示す画面が表示される。斜めのステープル位置表示ＴＡ、縦のステープル位置表示ＴＢ又は横のステープル表示ＴＣを押すことにより、ステープル位置が選択される。そして、テンキー５２を操作することにより、各部を構成する用紙Ｐの枚数が設定され、表示部７０に綴じ枚数が表示される。綴じ処理においても、用紙サイズセンサＰＳ１、ＰＳ２のサイズ検知信号に基づいて、各サイズに適合した綴じ処理が行われる。
【００４８】
穿孔処理、ステープル処理いずれの場合にも、優先モードが用意されており、単に、穿孔キー５７又はステープルキー５９を押し、スタートキー５３を押す操作により、図４、５の画面操作を行わないでも、それぞれの処理が実行されるように構成されている。図４における表示ＰＡ、ＰＢ、ＰＣのいずれを優先とするか、また、図５における表示ＴＡ、ＴＢ、ＴＣのいずれを優先とするかは、予め設定することができる。
【００４９】
インターシートキー６１を押し、トレイ選択キー５５とトレイ選択キー５６をを押すと先に選択した用紙給紙トレイ２０から給紙された用紙Ｐの間に後に選択された用紙給紙トレイ２１からの用紙Ｐが挿入されるインターシートモードが選択される。
【００５０】
インターシートキー６１を押すと表示部５４に図６に示す画面が表示される。図６における表示Ｐ１は用紙給紙トレイ２０の用紙Ｐを表し、表示Ｐ２、Ｐ３は用紙給紙トレイ２１の用紙Ｐを表す。トレイ選択キー５５、５６の順に押しテンキー５２を操作すると、表示Ｐ２の１枚が表示Ｐ３のように表示Ｐ１の設定された枚数の右側に移動して、用紙Ｐの挿入位置が示される。確認キー７１を押すことにより、入力したインターシートの条件が設定される。スタートキー５３を押すことにより、インターシート処理が開始される。
【００５１】
確認キー７１の操作までの入力操作を繰り返すことにより、複数枚のインターシートを挿入することができる。例えば、５枚毎に表紙と裏表紙を付加する場合には、トレイ選択キー５５、５６の操作の次にテンキー５２の「０」を押し、確認キー７１を押す、次にトレイ選択キー５５、５６を押し次にテンキー５２の「５」を押し確認キー７１を押す。更に、トレイ選択キー５５、５６の操作の次にテンキー５２の「５」を押し確認キー７１を押す。テンキー５２の「０」の入力により、最初の１部の表紙の付加が設定される。テンキー５２の「５」を押す２回の入力でトレイ２０からの用紙Ｐの５枚目の後に、トレイ２１からの用紙Ｐが２枚挿入される条件が設定される。挿入を受ける用紙の枚数が挿入位置の枚数で割り切れる場合には、最後の挿入位置では１枚の挿入される用紙のみが付加される。即ち、最後の部には裏表紙のみが付加される。
【００５２】
インターシートモードのみを選択した場合には、設定に従ったインターシートモードに従って、用紙給紙トレイ２０及び２１から用紙Ｐが給紙され、排紙トレイ２２に排紙される。
【００５３】
前記のインターシート機能を用いることにより、混載処理を行うことができる。用紙給紙トレイ２０、２１にはそれぞれ紙サイズセンサＰＳ１、ＰＳ２が設けられており、トレイ選択キー５５、５６には載置されている用紙Ｐのサイズが表示される。オペレータは表示された紙サイズに基づいて、異なるサイズの用紙Ｐを混合して排紙トレイ２２に集積させる混載処理を実施することができる。
【００５４】
例えば、インターシートキー６１を押し、トレイ選択キー５５、５６をこの順に押してテンキー５２を操作し、次に、トレイ選択キー５６を押すことにより、テンキー５２から入力した枚数毎に異種サイズの用紙Ｐを挿入する混載処理が行われる。
【００５５】
インターシートとシフト処理、綴じ処理又は折り畳み処理とが設定された場合には、設定に従ったインターシートモードで用紙給紙トレイ２０及び２１から用紙Ｐが給紙され、前記の各処理が行われた後に排紙トレイ２３又は２４に排紙される。
【００５６】
【発明の効果】
請求項１の発明により、後処理装置内で給紙、穿孔処理及び排紙が行われ、しかも、後処理装置の設定手段により設定された条件で処理が行われるので、画像形成装置から独立した紙処理装置としての後処理装置の使用価値が格段に向上する。
【００５７】
請求項２の発明により、後処理装置内で異種の用紙の処理を行うことができるので、画像形成装置から独立した紙処理装置としての後処理装置の使用価値が格段に向上する。
【００５８】
請求項３又は４の発明により、サイズの異なる用紙を混合する処理に後処理装置を用いることが可能になる。
【００５９】
請求項５の発明により、インターシート処理を後処理装置内のみで行うことが可能になる。
【００６０】
請求項６の発明により、複数枚の用紙の束に表紙を付加する処理を後処理装置内のみで行うことが可能になる。
【００６１】
請求項７の発明により、複数枚の用紙の束に裏表紙を付加する処理を後処理装置内のみで行うことが可能になる。
【図面の簡単な説明】
【図１】本発明の実施の形態に係る後処理装置及び画像形成システムを示す図である。
【図２】本発明の実施の形態に係る後処理装置の制御系のブロック図である。
【図３】本発明の実施の形態に係る後処理装置の設定手段を示す図である。
【図４】設定手段に表示部の画面の例を示す図である。
【図５】設定手段に表示部の画面の例を示す図である。
【図６】設定手段に表示部の画面の例を示す図である。
【符号の説明】
２０、２１  用紙給紙トレイ
２２、２３、２４  排紙トレイ、
１０  穿孔手段
１１  シフト手段
１４  ステープラ
１５  折り畳み手段
【図１】
0004023087.tif 000002
【図２】
0004023087.tif 000003
【図３】
0004023087.tif 000004
【図４】
0004023087.tif 000005
【図５】
0004023087.tif 000006
【図６】
0004023087.tif 000007